(57)【要約】【課題】  複数のメディア及び放送ネットワークの切替えが行われた場合でも、全体の中で現在の選局位置がどこなのかを理解しやすくし、選局操作におけるユーザビリティを向上させる。【解決手段】  複数の数字キーを備えた指示手段の指示によって、受信して再生する放送内容を切替えるデジタル放送受信機を、前記複数の数字キーのうちの何れかのキーが、所定の操作態様によって操作されることによりメディア又は放送ネットワークを切替えて当該操作した数字キーに対応する放送内容を再生するとともに、前記所定の操作態様により操作した数字キーの番号における放送ネットワーク又は／及びメディアに関する放送番組の一覧表示を行うようにする。【選択図】  図７
2008092591.tif 000002
【特許請求の範囲】
【請求項１】
複数の数字キーを備えた指示手段の指示によって、受信して再生する放送内容を切替えるデジタル放送受信機であって、
前記複数の数字キーのうちの何れかのキーが、所定の操作態様によって操作されることによりメディア又は放送ネットワークを切替えて当該操作した数字キーに対応する放送内容を再生するとともに、
前記所定の操作態様により操作した数字キーの番号における放送ネットワーク又は／及びメディアに関する放送番組の一覧表示を行うことを特徴とするデジタル放送受信機。
【請求項２】
前記メディアの切替えは、一部に同一メディアの切替えを含むことを特徴とする請求項１に記載のデジタル放送受信機。
【請求項３】
前記所定の操作態様は、前記複数の数字キーのうちの何れかのキーを所定時間押下し続ける操作であることを特徴とする請求項１又は２に記載のデジタル放送受信機。
【請求項４】
前記所定の操作態様は、前記複数の数字キーのうちの何れかのキーの押下及び押上を所定時間内に複数回行う操作であることを特徴とする請求項１又は２に記載のデジタル放送受信機。
【請求項５】
前記所定の操作態様は、前記複数の数字キーのうちの何れかのキーを所定時間押下し続ける第１の操作態様と、前記複数の数字キーのうちの何れかのキーの押下及び押上を所定時間内に複数回行う第２の操作態様とを含むことを特徴とする請求項１又は２に記載のデジタル放送受信機。
【請求項６】
前記操作された数字キーの番号におけるメディア又は／及び放送ネットワークに関する放送番組の一覧表示を行う場合において、
現在受信して再生している受信チャンネル表示を他と区別した表示態様で表示するとともに、
前記操作した数字キーの番号について、現在のメディア又は放送ネットワークにおける前後の放送番組を表示することを特徴とする請求項１から５の何れかに記載のデジタル放送受信機。
【請求項７】
前記操作された数字キーの番号におけるメディア又は／及び放送ネットワークに関する放送番組の一覧表示を行う場合において、
現在受信して再生している受信チャンネル表示を他と区別した表示態様で表示するとともに、
現在のメディア及び放送ネットワークにおける選局情報テーブルを表示することを特徴とする請求項１から５の何れかに記載のデジタル放送受信機。
【請求項８】
受信する放送形態として複数のメディア及び放送ネットワークを有し、
電子番組キーの操作によって、放送形態ごとに放送する番組内容の一覧を示す電子番組表を表示することが可能なデジタル放送受信機であって、
前記電子番組キーが所定の操作態様によって操作されることにより、現在の放送形態とは異なる放送形態の電子番組表を切替えて表示することを備えることを特徴とするデジタル受信機。
【請求項９】
現在の放送形態とは異なる放送形態の切替えのなかには、一部に同一メディアの切替えを含むことを特徴とする請求項８に記載のデジタル放送受信機。
【請求項１０】
前記所定の操作態様は、前記電子番組キーを所定時間押下し続ける操作であることを特徴とする請求項８又は９に記載のデジタル放送受信機。
【請求項１１】
前記所定の操作態様は、前記電子番組キーの押下及び押上を所定時間内に複数回行う操作であることを特徴とする請求項８又は９に記載のデジタル放送受信機。
【請求項１２】
前記所定の操作態様として第１の操作態様及び第２の操作態様を有し、
前記電子番組キーが前記第１の操作態様によって操作されることにより現在のメディアとは異なる放送形態の電子番組表を表示する一方、
前記電子番組キーが前記第２の操作態様によって操作されることにより現在の放送ネットワークとは異なる放送形態の電子番組表を表示することを特徴とする請求項８又は９に記載のデジタル放送受信機。
【発明の詳細な説明】
【技術分野】
【０００１】
本発明は、複数のメディアやデジタル放送ネットワークの放送番組を受信可能なデジタル放送受信機に関する。
【背景技術】
【０００２】
近年、テレビを始めとしたデジタル放送化が推進され、日本国内においては、ＢＳ（Broadcasting Satellite）デジタル放送、ＣＳ（Communication Satellite）デジタル放送
（ＣＳ１、ＣＳ２）、地上波デジタル放送の運用が開始されている。これらＢＳ、ＣＳ、地上波デジタル放送では、映像信号や音声信号とともに、チャンネル選局情報や番組情報等といったデータ信号も送信される。
【０００３】
ところで、ユーザがこれらＢＳ、ＣＳ、地上波デジタル放送を受信可能なデジタル放送受信機を使用して所望の放送チャンネルを受信する場合は、ユーザは、テレビ放送、ラジオ放送、データ放送といった複数のメディアの中から所望のメディアを選択し、一方で、ＢＳデジタル放送、ＣＳデジタル放送、地上波デジタル放送といった複数のデジタル放送ネットワーク（以下、単に「ネットワーク」と称す）の中から所望のネットワークを選択した上で、所望の放送チャンネルを選局することで１つのチャンネルを選局している。
【０００４】
以上のように、今日では複数の放送ネットワークに加え、複数のメディアが存在し、チャンネル数は増加する一方であり、このような多数のチャンネルの中から所望のチャンネルを選局するにあたっても、煩わしさが増している。
【０００５】
ここで、現在の一般的な放送受信機における基本的なチャンネル選局方法としては、
（１）リモコン等の操作部に備えられた複数の直接選局キー（例えば、１〜１２の選局キー）毎に対応させて個々の放送チャンネルのチャンネル番号を予め設定しておき、選局の際には、所望の放送チャンネルに対応する直接選局キーを選択操作することによって当該所望の放送チャンネルの選局を行うことができる直接選局（一発選局）、
（２）リモコン等の操作部に備えられた昇順選局キー又は降順選局キーを操作することによって、チャンネル番号の昇順又は降順に受信可能な放送チャンネルを順次受信することができるアップダウン選局、
（３）リモコン等の操作部に備えられたテンキー、又は前述した１〜１２の直接選局キーを数字キーとして用い、所望の放送チャンネルのチャンネル番号を直接指定して選局を行うことができるチャンネル番号指定選局（ダイレクト選局）、
が知られている。
【０００６】
しかし、上述のようにチャンネル数が急増している昨今では、それに伴いチャンネル選局する操作キーを増やしていたのでは、チャンネル選局に際して煩わしさが増してしまう。
【０００７】
このような状況のもと、１つのチャンネル選局キーで受信バンドをも変更できるようにした考案（ラジオ受信機）が開示されている（特許文献１）。
【０００８】
特許文献１の内容について説明する。特許文献１に記載のラジオ受信機は、図１２のように選局スイッチ１２１、スイッチの押下を検出する検出手段１２２、スイッチの押下に応じて受信バンドを切替える選局手段１２３、選局手段により選択されたバンドの放送局を受信するチューナ１２４（ＡＭチューナ、ＦＭチューナ）、現在受信しているバンドと周波数を表示する表示手段１２５とから構成される。
【０００９】
特許文献１では、このような構成おいて、選局スイッチ１２１の何れかを１回押下すると、現在受信しているバンドにおいて、当該押下した選局スイッチにプリセットされている放送局を受信する。そして、同一の選局スイッチを２回連続して押下すると、チューナのバンドをＡＭ又はＦＭから他方のバンドに切替えるとともに、当該選局スイッチにプリセットされている放送局を受信する。
【００１０】
このようにして、１つの選局スイッチに対して、放送局の選択とバンドの切替えという２つの機能を持たせることにより、操作スイッチの数を減らすようにしている。
【００１１】
しかし、上記ラジオ受信機のようにバンドに対して放送局数が少ない場合はよいが、現在のデジタル放送においては、ネットワークの形態が複数存在するうえ、１つのネットワークに１００以上ものチャンネルが存在する場合もあり、さらにラジオという１つのメディアではなく、テレビ、ラジオ、データといったメディアも増加しており、上記の構成だけでは選局を容易に行うことに対応しきれない。
【００１２】
また参考として、デジタル放送の多チャンネルに対応した技術として特許文献２がある。
【００１３】
当該特許文献２では、図１３のようにリモコン１３０に、従来の数字キー１３１に加えて放送局キー１３２を設け、放送局キー１３２を押下すると放送局が切替わり、数字キー１３１を押下すると現在の放送局におけるチャンネルが選択されるようになっている。また、数字キー１３１、放送局キー１３２それぞれに対応してアップダウンキー１３３・１３４が設けられている。よって、図１３（ｂ）のように、放送局間、チャンネル間のチャンネル切替えをスムーズにしている。
【００１４】
また、デジタル放送の多チャンネル化に対応して、限られたリモコンの数字キーにチャンネル番号が自動的に関連付けられるようにして、操作性を向上させたものがある（特許文献３）。
【００１５】
また、特定のキーの押す長さの短長によって、異なる操作を指令を送信するリモコン装置がある（特許文献４）。
【００１６】
そして、現在のデジタルテレビ放送の視聴では、ユーザがリモコン等の操作部に備えられた電子番組キーを操作することで、受信した放送チャンネルのトランスポートストリームに含まれている番組配列情報のＰＡＴ(Program Association Table)やＰＭＴ(Program Map Table)等の情報を用いて生成された電子番組表を画面に表示できるようにもなっている。
【特許文献１】公開実用平成１−１４２２３３号
【特許文献２】特開２００１−８１１７号
【特許文献３】特開２００１−３６８２３号
【特許文献４】特開２００３−２０２１４８号
【発明の開示】
【発明が解決しようとする課題】
【００１７】
通常ユーザが所望の放送チャンネルを選局しようとする場合、その放送チャンネルが含まれるメディアやネットワークが、デジタル放送受信機上で現在設定されているメディアやネットワークと異なる場合には、当該チャンネルを選局する前に、リモコン等の操作部に備えられたメディア切替キーやネットワーク切替キーを操作して、メディアやネットワークに切替えたうえで、放送チャンネルを選局する。
【００１８】
上記特許文献１のように、直接選局キーを連続押下することによってバンドを切替えることを利用し、メディアあるいはネットワークを直接選局キーのみで切替える機能を持たせるようにして上記メディア切替キー又はネットワーク切替キーを削減することが有効であるが、メディアあるいはネットワークの一方の切替え機能のみを直接選局キーに持たせることは、不自然であり、かえってユーザを混乱させてしまうことが考えられる。
【００１９】
また、チャンネル数の急増を考えても、まだまだそのユーザビリティが十分に改善されたとは言いにくい。
【００２０】
上記特許文献２のように、放送局ごとのキーをリモコンに設ける、といったような技術を利用すると、選局ボタンが増加し、さらに煩わしくなる。
【００２１】
以上の事実に鑑みて、本発明は、チャンネル数の増加に伴って煩わしさが増しているチャンネル選局、ネットワーク切替え、メディア切替えを容易に行い、チャンネル選局に際してのユーザビリティを向上させることを目的としている。
【課題を解決するための手段】
【００２２】
上記課題を解決するために、本発明は、複数の数字キーを備えた指示手段の指示によって、受信して再生する放送内容を切替えるデジタル放送受信機を、前記複数の数字キーのうちの何れかのキーが、所定の操作態様によって操作されることによりメディア又は放送ネットワークを切替えて当該操作した数字キーに対応する放送内容を再生するとともに、
前記所定の操作態様により操作した数字キーの番号における放送ネットワーク又は／及びメディアに関する放送番組の一覧表示を行うようにした。
【００２３】
このとき、前記メディアの切替えは、一部に同一メディアの切替えを含んでもよい。
【００２４】
前記所定の操作態様は、具体的には、前記複数の数字キーのうちの何れかのキーを所定時間押下し続ける操作としたり、前記複数の数字キーのうちの何れかのキーの押下及び押上を所定時間内に複数回行う操作とすればよい。
【００２５】
また、前記所定の操作態様は、前記複数の数字キーのうちの何れかのキーを所定時間押下し続ける第１の操作態様と、前記複数の数字キーのうちの何れかのキーの押下及び押上を所定時間内に複数回行う第２の操作態様とを含むようにしてもよい。
【００２６】
また、前記操作された数字キーの番号におけるメディア又は／及び放送ネットワークに関する放送番組の一覧表示を行う場合において、現在受信して再生している受信チャンネル表示を他と区別した表示態様で表示するとともに、前記操作した数字キーの番号について、現在のメディア又は放送ネットワークにおける前後の放送番組を表示するようにした。
【００２７】
または、前記操作された数字キーの番号におけるメディア又は／及び放送ネットワークに関する放送番組の一覧表示を行う場合において、現在受信して再生している受信チャンネル表示を他と区別した表示態様で表示するとともに、現在のメディア及び放送ネットワークにおける選局情報テーブルを表示するようにしてもよい。
【００２８】
以上により、メディア又は／及び放送ネットワークの切替えが行われた場合でも、全体の中での現在の選局位置が理解しやすくなり、選局操作におけるユーザビリティを向上させることができる。
【００２９】
本発明はまた、受信する放送形態として複数のメディア及び放送ネットワークを有し、電子番組キーの操作によって、放送形態ごとに放送する番組内容の一覧を示す電子番組表を表示することが可能なデジタル放送受信機を、前記電子番組キーが所定の操作態様によって操作されることにより、現在の放送形態とは異なる放送形態の電子番組表を切替えて表示するようにした。
【００３０】
このとき、現在の放送形態とは異なる放送形態の切替えのなかには、一部に同一メディアの切替えを含んでもよい。
【００３１】
前記所定の操作態様は、具体的には、前記電子番組キーを所定時間押下し続ける操作であったり、前記電子番組キーの押下及び押上を所定時間内に複数回行う操作であったりする。
【００３２】
また、前記所定の操作態様として第１の操作態様及び第２の操作態様を有するようにし、
前記電子番組キーが前記第１の操作態様によって操作されることにより現在のメディアとは異なる放送形態の電子番組表を表示する一方、前記電子番組キーが前記第２の操作態様によって操作されることにより現在の放送ネットワークとは異なる放送形態の電子番組表を表示するようにしてもよい。
【００３３】
以上により、単一の電子番組キーしか備えないデジタル放送受信機であっても、放送形態が異なる電子番組表の表示を容易に行うことが可能となりユーザビリティが向上する。
【発明の効果】
【００３４】
本発明によれば、チャンネル選局、ネットワーク切替え、メディア切替えを容易に行うことができ、チャンネル選局、電子番組表表示に際してのユーザビリティを向上させることができる。
【発明を実施するための最良の形態】
【００３５】
本発明によるデジタル放送受信機の一実施の形態について、ＢＳ、ＣＳ、地上波デジタル放送を受信可能なデジタルテレビジョン受信機を例に、以下、図面とともに説明する。
【００３６】
図１は、本発明の一実施の形態に係るデジタルテレビジョン受信機の構成図である。
【００３７】
本実施の形態のデジタルテレビジョン受信機１は、ＢＳ/ＣＳ系アンテナ２ａ、地上波
デジタル系アンテナ２ｂ、ＢＳ/ＣＳ系チューナ部３ａ、地上波デジタル系チューナ部３
ｂ、ＢＳ/ＣＳ系復調回路部４ａ、地上波デジタル系復調回路部４ｂ、ＢＳ/ＣＳ系誤り訂正部５ａ、地上波デジタル系誤り訂正部５ｂ、トランスポートデコーダ部６、ＭＰＥＧ（（Moving Picture Experts Group）デコーダ部７、ＯＳＤ（On Screen Display）表示部
８、ビデオエンコーダ部９、音声ＤＡＣ（Digital to Analog Converter）部１０、ＣＰ
Ｕ１１、フラッシュメモリ（Flash ＲＯＭ(Read Only Memory)）１２、システムソフト１３、ＲＡＭ（Random Access Memory）１４、入力Ｉ/Ｆ（Interface）１５、ポート（Port）１６、モデム（Modem）１７、及び操作部としてのリモコン３０を備えて構成されてい
る。
【００３８】
ＢＳ/ＣＳ系チューナ部３ａには、ＢＳ/ＣＳ系アンテナ２ａによって受信された放送衛星（ＢＳ）や通信衛星（ＣＳ）から送信されるデジタル衛星放送信号が入力される。ＢＳ/ＣＳ系チューナ部３ａは、後述するユーザの選局指示に従って、所定のネットワークの
放送チャンネルに関するデジタル衛星放送信号を選局受信し、ＢＳ/ＣＳ系復調回路部４
ａに供給する。ＢＳ/ＣＳ系復調回路部４ａは、ＢＳ/ＣＳ系チューナ部３ａで選局受信したデジタル衛星放送信号をデジタル復調する。ＢＳ/ＣＳ系誤り訂正部５ａは、デジタル
復調されたデジタル衛星放送信号の誤りに関する修復や訂正を施し、トランスポートスト
リームデータとして再生する。そして、これらＢＳ/ＣＳ系チューナ部３ａ、ＢＳ/ＣＳ系復調回路部４ａ、及びＢＳ/ＣＳ系誤り訂正部５ａは、デジタルテレビジョン受信機１に
おけるＢＳ/ＣＳ系のフロントエンド部１８ａを構成する。
【００３９】
一方、地上波デジタル系チューナ部３ｂには、地上波デジタル系アンテナ２ｂによって受信された地上波デジタル放送信号が入力される。地上波デジタル系チューナ部３ｂは、後述するユーザの選局指示に従って、所定の放送チャンネルに関する地上波デジタル放送信号を選局受信し、地上波デジタル系復調回路部４ｂに供給する。地上波デジタル系復調回路部４ｂは、地上波デジタル系チューナ部３ｂで選局受信した地上波デジタル放送信号をデジタル復調する。地上波デジタル系誤り訂正部５ｂは、デジタル復調された地上波デジタル放送信号の誤りに関する修復や訂正を施し、トランスポートストリームデータとして再生する。そして、これら地上波デジタル系チューナ部３ｂ、地上波デジタル系復調回路部４ｂ、及び地上波デジタル系誤り訂正部５ｂは、地上波デジタル系のフロントエンド部１８ｂを構成する。このＢＳ/ＣＳ系のフロントエンド部１８ａ及び地上波デジタル系
のフロントエンド部１８ｂからなるデジタルテレビジョン受信機１のフロントエンド部１８の出力は、選択的にトランスポート部１９に供給される。
【００４０】
トランスポート部１９は、トランスポートデコーダ部６を備えている。トランスポートデコーダ部６は、デジタル衛星放送信号及び地上波デジタル放送信号のＭＰＥＧ符号化されているトランスポートストリームデータに含まれている放送映像信号、放送音声信号、データ信号を分離する。トランスポートデコーダ部６には、視聴者が選択受信したデジタル放送信号のネットワークに応じて、ＢＳ/ＣＳ系のフロントエンド部１８ａ又は地上波
デジタル系のフロントエンド部１８ｂの中の対応する側から、誤り訂正されたデジタル放送信号のトランスポートストリームデータが供給される。そして、このトランスポート部１９で分離されたＭＰＥＧ符号化されている放送映像信号及び放送音声信号は、ＭＰＥＧデコード部２０に供給される。
【００４１】
ＭＰＥＧデコード部２０は、ＭＰＥＧ符号化されている放送映像信号及び放送音声信号を復号化し、接続されているテレビジョン受像機やオーディオ装置（図示せず）に映像出力や音声出力を供給出力する。ＭＰＥＧデコード部２０は、ＭＰＥＧデコーダ部７、ＯＳＤ表示部８、ビデオエンコーダ部９、及び音声ＤＡＣ部１０を備えている。ＭＰＥＧデコーダ部７は、トランスポートデコーダ部６によって分離されたＭＰＥＧ符号化されている放送映像信号及び放送音声信号それぞれのデータ復調（復号）を行い、ビデオエンコーダ部９及び音声ＤＡＣ部１０に供給する。
【００４２】
ＯＳＤ表示部８は、メニューや電子番組表をテレビジョン受像機の画面上に表示するためのＯＳＤ信号を生成し、ビデオエンコーダ部９に供給する。ビデオエンコーダ部９は、ＭＰＥＧデコーダ部７でデータ復調された放送映像信号とＯＳＤ表示部８から供給されるＯＳＤ信号とを重畳して、映像出力として接続されるテレビジョン受像機に適したビデオ信号に生成して出力する。音声ＤＡＣ部１０は、ＭＰＥＧデコーダ部７でデータ復調された放送音声信号を、音声出力として接続されるオーディオ装置に適した音声信号に生成して出力する。
【００４３】
ＣＰＵ１１は、デジタルテレビジョン受信機１のフロントエンド部１８、トランスポート部１９、ＭＰＥＧデコード部２０とそれぞれ接続されているとともに、フラッシュメモリ１２、ＲＡＭ１４、入力Ｉ/Ｆ１５、ポート１６ともそれぞれ接続されている。ＣＰＵ
１１は、通常、ユーザのリモコン操作に基づきリモコン３０から入力Ｉ/Ｆ１５を介して
供給されるコントロール信号に基づき、フラッシュメモリ１２中のシステムソフト１３によってその処理を管理・制御され、デジタルテレビジョン受信機１の上述した各部の制御を行う。
【００４４】
例えば、ＣＰＵ１１は、受信した放送チャンネルのデジタル衛星放送信号や地上波デジタル放送信号のトランスポートストリームデータにデータ信号として含まれている番組配列情報（SI：Service Information）のＰＡＴやＰＭＴ等の情報をトランスポートデコー
ダ部６から取得してＲＡＭ１４内に貯え、これら情報を用いて電子番組表を生成する。また、ＣＰＵ１１は、ポート１６を介し、公衆回線４０に接続されたモデム１７を介して、ＢＳ、ＣＳ、又は地上波デジタル放送の放送局との間で各種データの送・受信を行う。さらに、ユーザのリモコン操作に基づき、ＢＳ/ＣＳ系チューナ部３ａ又は地上波デジタル
系チューナ部３ｂを制御して、ＢＳ、ＣＳ、又は地上波デジタル放送における所定の放送チャンネルを選局させたり、電子番組表をＯＳＤ表示部８及びビデオエンコーダ部９を介して接続されたテレビジョン受像機の画面上に映像出力したりする。
【００４５】
図２は、本発明の一実施の形態に係るデジタルテレビジョン受信機のリモコンの外観図である。
【００４６】
図２に示すように、リモコン３０には、デジタルテレビジョン受信機１の操作部として、各種操作キー（操作片）３１が設けられている。図２において、３２は電源キー、３３は“１”〜“１２”の直接選局キー、３４は地上波デジタル放送、ＢＳ放送、又はＣＳ放送といった受信ネットワークを切替えるネットワーク選択キー、３５は各ネットワークにおけるテレビ放送、ラジオ放送、データ放送等の受信メディアを切替えるメディア選択キー、３６は電子番組表を表示するための電子番組表表示キーである。
【００４７】
本実施の形態に係るデジタルテレビジョン受信機１では、従来のネットワーク選択キー３４の操作による地上波デジタル放送、ＢＳ放送、ＣＳ放送等の受信ネットワークの切替え、及び、メディア選択キー３５の操作によるテレビ放送、ラジオ放送、データ放送等の受信メディアの切替えが可能であることに加え、これらを、直接選局キー３３の操作のみによっても、切替え可能なようにした。
【００４８】
以下、これら直接選局キー３３による受信/表示メディア又は受信/表示ネットワークの切替えについて、詳細に説明する。
【００４９】
なお、その説明に当たっては、説明省略するシステムソフト１３に備えられたチャンネル設定機能に基づき、ユーザのリモコン３０のチャンネル設定操作によって、“１”〜“１２”の直接選局キー３３それぞれに関して、ＢＳ放送・ＣＳ放送（ＣＳ１/２）・地上
波デジタル放送等のネットワーク別、及びテレビ放送・ラジオ放送・データ放送等のメディア別にそれぞれ放送チャンネルが設定され、その設定内容は、ＣＰＵ１１により例えばＲＡＭ１４内の直接選局キー/放送チャンネル・テーブル（選局情報テーブル）に予め登
録されているものとして説明する。
【００５０】
図３は、この選局情報テーブルの例であり、デジタル放送ネットワークがＢＳ放送の場合を例に、“１”〜“１２”の直接選局キー３３それぞれと、テレビ放送、ラジオ放送、データ放送等のメディア別の放送チャンネルとの対応関係を表した図である。
【００５１】
例えば“１”の直接選局キー３３に関しては、デジタルテレビジョン受信機１がＢＳ放送の受信状態にある場合において、メディア選択キー３５によってテレビ放送を選択操作した場合には、“Ａ放送  ＢＳ１”のチャンネル（選局データ）を、ラジオ放送を選択操作した場合には“MMM”のチャンネルを、データ放送を選択操作した場合には“Ａｐ放送”のチャンネルを選局するように、ユーザが設定登録していることが表わされている。
【００５２】
図４は、同じく選局情報テーブルの例であり、メディアの一例としてのテレビ放送の場合を例に、“１”〜“１２”の直接選局キー３３それぞれと、ＢＳ放送、ＣＳ放送、又は地上波デジタル放送等のネットワーク別の放送チャンネルとの対応関係を表した図である。
【００５３】
例えば“１”の直接選局キー３３に関し、メディア選択キー３５によってテレビ放送が選択されている場合において、ネットワークがＢＳ放送を受信した場合は、“Ａ放送  ＢＳ１”のチャンネルを、ＣＳ１放送を受信した場合は“Ｐ  ｃｈ”のチャンネルを、ＣＳ２放送を受信した場合は“エスパー２”のチャンネルを選局するように、ユーザが設定登録していることが表わされている。
【００５４】
なお、図３、図４において、直接選局キー３３の中における、対応する放送チャンネル名が記載されていない直接選局キー３３、例えば図４における地上波デジタル放送のテレビ放送に関しての“１”〜“１２”の直接選局キー３３は、ユーザによってチャンネル番号が未だ設定されておらず、使用されていない空き状態になっていることを示している。
【００５５】
図５は、本実施の形態のデジタルテレビジョン受信機における直接選局キー３３による操作処理を示したフローチャートである。
【００５６】
本実施の形態のデジタルテレビジョン受信機１では、ユーザが直接選局キー３３を操作すると、ＣＰＵ１１は、フラッシュメモリ１２中のシステムソフト１３に基づき、図５に示す操作処理を実行する。
【００５７】
ＣＰＵ１１は、入力Ｉ/Ｆ１５を介して、"１"〜"１２"の直接選局キー３３の中のいず
れか一つの直接選局キー３３の押下を感知すると（ステップＳＴ５１）、現在のネットワーク・メディアにおける当該押下した直接選局キー３３に対応するチャンネルに切替える（ステップＳＴ５２）とともに、予め定められているＴ２（例えば、２秒）の計時を開始する（ステップＳＴ５３）。
【００５８】
例えば、現在の受信ネットワークがＢＳ放送、受信メディアがテレビ放送であり、受信放送チャンネルが“１”である場合、現在視聴中の放送は“Ａ放送  ＢＳ１”である。このとき直接選局キー３３の“２”を押下した場合は、当該押下した直接選局キー３３に対応するチャンネルである“Ａ放送  ＢＳ２”の受信選局が行われる（ステップＳＴ５２）とともに、Ｔ２の計時を開始する（ステップＳＴ５３）。なお、ステップＳＴ５２において、押下した直接選局キー３３が、現在選局中のチャンネル番号と同一である場合は、現在の表示（上記の例では“Ａ放送  ＢＳ１”）が維持される。
【００５９】
そして、ＣＰＵ１１は、入力Ｉ/Ｆ１５を介して上記押下した直接選局キー３３の押上
が感知されたか否か、所定時間Ｔ２の計時が完了したか否かを監視する（ステップＳＴ５４、ＳＴ５４１）。
【００６０】
ＣＰＵ１１は、ステップＳＴ５４において、所定時間Ｔ２（２秒）が経過する前に、入力Ｉ/Ｆ１５を介して上記押下げた直接選局キー３３の押上が感知された場合には（ステ
ップＳＴ５４の「ＹＥＳ」）、続けて予め定められている所定時間Ｔ１（例えば、１秒）の計時を開始するとともに、当該同一の直接選局キー３３の再押下を感知したか否かを監視する（ステップＳＴ５６）。押下を感知すれば（ステップＳＴ５６の「ＹＥＳ」）、現在のネットワークにおける次のメディアの当該直接選局キー３３に対応するチャンネルに切替え（ステップＳＴ５７）、所定時間Ｔ１及びＴ２の計時をリセットし（ＳＴ５８）、Ｔ２の計時を開始するとともに（ＳＴ５３）上記再押下した直接選局キー３３の再押上を感知したか否かの監視に戻る（ＳＴ５４）。
【００６１】
すなわち、ステップＳＴ５４〜ステップＳＴ５８においては、ＣＰＵ１１が、所定時間Ｔ１（１秒）が経過する前に、ユーザによって前回押下した直接選局キーと同一の直接選局キー（上記の例では“２”）の押下及び押上を感知した場合には（ステップＳＴ５４の「ＹＥＳ」、ステップ５６の「ＹＥＳ」場合）、ＣＰＵ１１は、システムソフト１３上によって予め規定されたメディア切替え順（例えばテレビ放送−ラジオ放送−データ放送−テレビ放送−・・）に従って、サイクリックに次の受信メディアを設定する。
【００６２】
上記の例の場合、ＣＰＵ１１は、受信メディアとして、現在のテレビ放送から次の切替え順のラジオ放送を設定する。そして、ＣＰＵ１１は、受信ネットワークはＢＳ放送のままにして、受信メディアがラジオ放送である場合の、“２”の直接選局キー３３に対応する放送チャンネルのチャンネル番号（選局データ）を選局情報テーブルを参照して取得し、その取得した放送チャンネルの受信選局をフロントエンド部１８に指示する（ステップＳＴ５７）。
【００６３】
具体的には、図３を参照すると、ＣＰＵ１１は、ＢＳ放送のラジオ放送における“２”の直接選局キー３３に対応する“ＭＵＳＩＣスワン”のチャンネル番号（選局データ）を取得し、これをフロントエンド部１８に選局指示する。また、ＣＰＵ１１は、同時にＭＰＥＧデコード部２０のＯＳＤ表示部８に、受信メディアがラジオ放送に切替わったことを示す表示、及び“２”の直接選局キー３３が操作されたことを示す表示若しくは“ＭＵＳＩＣスワン”の選局表示のＯＳＤ信号の出力を指示する。
【００６４】
デジタルテレビジョン受信機１からは、“Ａ放送  ＢＳ１”の映像出力に代えて受信メディアがラジオ放送に切替わったことを示す表示、及び“２”の直接選局キー３３が操作されたことを示す表示若しくは“ＭＵＳＩＣスワン”の選局表示そのものがビデオエンコーダ部９から出力され、“Ａ放送  ＢＳ１”の音声出力に代えて“ＭＵＳＩＣスワン”の音声出力が音声ＤＡＣ部１０から出力される。
【００６５】
一方、ＳＴ５４において直接選局キー３３の押上が感知されず、ステップＳＴ５４１においてＴ２がタイムアップした場合には、現在のメディアにおける次のネットワークの、現在押下している直接選局キー３３に対応するチャンネルに切替え（ＳＴ５４２）、Ｔ２の計時をリセットし（ＳＴ５３）、現在押下している直接選局キー３３の押上感知の監視に戻る（ステップＳＴ５４）
すなわち、ＣＰＵ１１が、所定時間Ｔ２（２秒）が経過しても、ユーザが“２”の直接選局キー３３を押下し続けている限り、ＣＰＵ１１は、システムソフト１３上によって予め規定されたネットワーク切替順（例えば、ＢＳ放送−ＣＳ１放送−ＣＳ２放送−地上波デジタル放送−ＢＳ放送−・・）に従って、サイクリックに次の受信ネットワークを設定する。
【００６６】
具体的には、ＣＰＵ１１は、現在のＢＳ放送から次の切替え順のＣＳ１放送を設定する。そして、ＣＰＵ１１は、受信メディアはテレビ放送のままにして、受信ネットワークがＣＳ１放送である場合の、“２”の直接選局キー３３に対応する放送チャンネルのチャンネル番号（選局データ）を選局情報テーブルを参照して取得し、その取得した放送チャンネルの受信選局をフロントエンド部１８に指示する（ステップＳ５４２）。
【００６７】
上述の例では、ＣＰＵ１１は、図４に示すように、ＣＳ１放送のテレビ放送における“２”
の直接選局キー３３に対応する“Ａ＋＋”のチャンネル番号（選局データ）を取得し、これをフロントエンド部１８に選局指示する。また、ＣＰＵ１１は、同時にＭＰＥＧデコード部２０のＯＳＤ表示部８に、受信ネットワークがＣＳ１放送に切替わったことを示す表
示、及び“２”の直接選局キー３３が操作されたことを示す表示若しくは“Ａ＋＋”の選局表示のＯＳＤ信号の出力を指示する。
【００６８】
デジタルテレビジョン受信機１からは、“Ａ放送  ＢＳ１”の映像出力に代え、“Ａ＋＋”の放送映像に、受信ネットワークがＣＳ１放送に切替わったことを示す表示、及び“２”の直接選局キー３３が操作されたことを示す表示若しくは“Ａ＋＋”の選局表示そのものを重畳した映像出力がビデオエンコーダ部９から出力され、“Ａ放送  ＢＳ１”の音声出力に代えて“Ａ＋＋”の音声出力が音声ＤＡＣ部１０から出力される。
【００６９】
そして、押上を感知した（ＳＴ５４）後のＴ１がタイムアップとならない限り以上の処理を繰り返し、ステップＳＴ５６１においてＴ１がタイムアップした場合は、現在のネットワーク、メディア、チャンネルを更新した上で、選局操作を終了する。
【００７０】
以上のように、同一の直接選局キー３３を所定時間Ｔ１（１秒）以内に２回連続した押下操作を繰り返すことにより、又は同一の直接選局キー３３を所定時間Ｔ２（２秒）以上続けて押下操作することを繰り返すことにより、ネットワーク選択キー３４やメディア選択キー３５を別途操作せずとも、受信メディア又は受信ネットワークそれぞれを、図３、図４に示すようにサイクリックに順番に切替えていくことができる。
【００７１】
なお、図５に示したフローにおいて、ステップＳＴ５４２とステップＳＴ５７は逆であってもよい。すなわち、連続押しのときにネットワークに切替え、長押しのときにメディアを切替えるものであってもよい。
【００７２】
また、長押し、連続押しのような操作態様は２種類あれば、上述した切替えを実現できる。すなわち、連続２度押しでメディアを切替える例を示したが、連続３度押しや、長押し＋１度押しと言った操作を、ネットワークやメディアを切替える操作態様としてもよく、同一の直接選局キー３３を「第１の操作態様」と「第２の操作態様」によって、１つの直接選局キー３３に３つの機能を持たせるものである。これにより、ますます増加するチャンネル数に対応して、限られた直接選局キー３３を最大限に利用してユーザビリティを向上させることができる。
【００７３】
また、上記の例では、処理終了直前のステップＳＴ５９にてこれまでの操作の結果であるネットワーク・メディア・チャンネルの更新をするようにしているが、ステップＳＴ５２、ステップＳＴ５４２、ステップＳＴ５７において、その都度ネットワーク・メディア・チャンネルを更新するようにしてもよい。
【００７４】
一方、チャンネル切替えタイミングについては、ステップＳＴ５２、ステップＳＴ５４２、ステップＳＴ５７において、その都度切替えるようにしているが、処理終了直前に一括してこれまでの操作の結果であるネットワーク・メディア・チャンネルの切替えをするようにしてもよい。
【００７５】
また、長押操作をしている限り、ステップＳＴ５３→ステップＳＴ５４→ステップＳＴ５４１→ステップＳＴ５４２→ステップＳＴ５４３→ステップＳＴ５３のフローが繰り返され、サイクリックにネットワークが切替わるが、２回目以降のＴ２の計時を１回目よりも短くし（例えば０．５秒）、ネットワークの切替わりがスムーズになるようにするとよい。
【００７６】
また、上記の例では、直接選局キー３３の連続押し又は長押しにより、メディアに関してテレビ→ラジオ→データをサイクリックに切替える例を示したが、例えばテレビに関して、１０１〜１１０チャンネルをテレビ１、１１１〜１２０チャンネルをテレビ２などと
定義づけして、テレビ１→テレビ２→ラジオ→データとメディアが一部重複するものにおいてサイクリックに切替えるようにしてもよい。そして、数字キー３３は、“１”〜“１０”等であってもよく、上記例ではこの方が分かりやすいとも言え、数字キー３３の数の削減も考慮できる。
【００７７】
また、上記の例ではチャンネルが選局情報テーブルに記憶させているものに限った例を示したが、現在の地上波アナログ等では選局情報テーブルにチャンネルを設定しなくてももともと数字キー３３にチャンネルが割り当てられており、本実施の形態に係る発明がこのようにもともとチャンネルが割り当てられているものにも適用可能であって、選局情報テーブルにチャンネルを記憶させているものに限られない。
【００７８】
すなわち、本発明はデジタル放送受信機に関して説明を行っているが、デジタル放送を受信可能ということであり、アナログ放送を受信して表示することも同時に行うことができ、上述の例が適用可能なことはもちろんである。
【００７９】
本実施の形態に係る発明は、視聴したい特定の番組が決まっていないときにチャンネルをくまなくサーチする際には非常に便利である。すなわち、従来の選局方法によれば、数字キー３３と、ネットワーク選択キー３４及びメディア選択キー３５の組合せ（上記の例では、１２×４×３）によってようやく全ての放送番組をサーチすることとなるが、本実施の形態によれば、まず数字キー３３の“１”を連続押しと長押しで“１”に関する放送番組を全てサーチし、これを“１２”まで行うことによって、簡単に全放送番組をサーチできることとなるのである。
【００８０】
そして、本発明におけるリモコン３０には、この操作をユーザに知らしめ、チャンネル切替えの際に混乱を招かぬよう、例えば“２度押しでネットワーク切替”、“長押でメディア切替”のような表示３７を備えるようにしている。
【００８１】
＜第２の実施形態＞
本実施形態では、ネットワーク、メディア、チャンネルの切替え方法は上記と同様とし、上述の切替え方法によるユーザビリティを更に向上させるべく、ＯＳＤ表示部８におけるＯＳＤ表示に特徴を持たせるようにした。
【００８２】
図６乃至図９を用いて、本発明に係るＯＳＤ表示の例を示す。例えば、現在の受信ネットワークがＢＳ放送、受信メディアがテレビ放送であり、受信放送チャンネルが“１”である場合、“Ａ放送  ＢＳ１”を受信し、画面上には現在の受信がＢＳ放送であることを示すネットワーク表示６１と、現在受信選局されているチャンネルが“Ａ放送  ＢＳ１”であることを示す受信チャンネル表示６２が表示される（図６（ａ））。
【００８３】
この状態で直接選局キー３３の“２”を押下した場合、当該押下した直接選局キー３３に対応するチャンネルである“Ａ放送  ＢＳ２”の受信選局が行われ、ネットワーク表示６１は維持されたまま、受信チャンネル表示６２は“Ａ放送  ＢＳ２”に変更される。同時に、ネットワークがＢＳ放送、メディアがテレビである場合の選局情報テーブル６３を表示し、現在の受信が選局情報テーブル６３のうち、直接選局キー３３の“２”に登録されている“Ａ放送  ＢＳ２”の番組であることが分かるように“Ａ放送  ＢＳ２”を網掛け等して他と区別する。
【００８４】
続いて、直接選局キー３３の“２”を所定の操作態様（「第１の操作態様」又は「第２の操作態様」）による操作よってネットワークを切替えた場合、ユーザにとっては思わぬ選局操作が行われたという認識がなされてしまうことも考えられることから、誤認識を防止するために、本実施の形態に係る図７の直接選局キー３３のネットワーク又はメディア
に関する表示７０がなされるようにしている。
【００８５】
この直接選局キー３３のネットワーク又はメディアに関する表示７０は、直接選局キー３３の何れかのキーが所定の操作態様で操作された場合（例えば、Ｔ２時間長押しされた場合）に表示され、それぞれのネットワーク又はメディアの選局情報テーブルのうち、当該所定の操作をした直接選局キー３３の番号に登録されている放送番組名であって、全ネットワーク又はメディアのそれぞれの当該番号に登録された番組名が一覧で表示される。また、現在受信している放送番組の表示“ＣＳ１（ＴＶ）1)Ｐ  ｃｈ”を網掛け等して他と区別する。なお、ネットワークに関する表示とメディアに関する表示を両方行ってもよい。
【００８６】
この直接選局キー３３のネットワーク又は／及びメディアに関する表示７０によって、（１）ネットワークが切替わっていること、（２）全ネットワーク（又はメディア）それぞれにおいて上記所定の操作態様で操作した直接選局キー３３の番号に登録されているチャンネルのうちどのチャンネルを選局しているか、が一見して把握できることとなり、本発明におけるユーザビリティを一層向上させることができる。
【００８７】
このとき、図８のように、そのネットワーク又はメディアにおける現在の選局しているチャンネルの前後の放送番組名８１・８２を表示させるようにすればよい。これは、前後１つずつの放送番組名でなくとも２、３の放送番組名を表示させるようにしてもよい。さらに、アップダウンキー等でチャンネルを選局しようとしたときに矢印８３を表示させて、アップ選局しているのかダウン選局しているのかが一見して分かるようにしておくとよい。
【００８８】
さらに、図９のように、直接選局キー３３に関する表示７０と同時に、現在のネットワーク・メディアにおける選局情報テーブル６３を表示させるようにしてもよい。
【００８９】
以上は、直接選局キー３３を長押ししてネットワークを切替える場合について例示したが、直接選局キー３３を連続押ししてメディアを切替えた場合にも、このような表示を行うことによってユーザビリティを向上させることができる。
【００９０】
＜第３の実施形態＞
次に、電子番組表表示キー３６によるメディア又はネットワーク別の電子番組表の表示切替えついて、詳細に説明する。
【００９１】
図１０は、本実施の形態のデジタルテレビジョン受信機における電子番組表表示キー（以下、単に「電子番組キー」と記す）３６による表示処理を示したフローチャートである。
【００９２】
なお、以下の説明に当たっては、現在受信ネットワークとしてＢＳ放送が設定され、受信メディアとしてテレビ放送が設定されている場合において、直接選局キー３３の“１”に対応する“Ａ放送  ＢＳ１”の選局・受信が行われているものとして、ユーザが電子番組キー３６を操作した場合について説明する。
【００９３】
本実施の形態のデジタルテレビジョン受信機１では、ユーザが電子番組キー３６を操作すると、ＣＰＵ１１は、フラッシュメモリ１２中のシステムソフト１３に基づき、図１０に示す操作処理を実行する。
【００９４】
ＣＰＵ１１は、入力Ｉ/Ｆ１５を介して、電子番組キー３６の押下を感知すると（ステ
ップＳT１０１）、初期処理として、ＲＡＭ１４に設けられた電子番組表表示モード記憶
エリアに電子番組表表示モードが設定されているか否かを判別し、電子番組表表示モードが設定されていない場合、すなわち、現在、電子番組表のＯＳＤ信号出力がＯＳＤ表示部８からビデオエンコーダ部９に供給されていない番組視聴（聴取）状態にある場合には、電子番組表表示モードを電子番組表表示モード記憶エリアに設定する。そして、ＲＡＭ１４に設けられた番組表表示記憶エリアに、番組表表示メディアとして受信メディアであるテレビ放送を、また番組表表示ネットワークとして、現在の受信ネットワークであるＢＳ放送を記憶する。
【００９５】
上記初期処理の後、ＣＰＵ１１は、Ｔ２（例えば、２秒）、Ｔ３（例えば、３秒）それぞれの計時を開始する（ステップＳＴ１０３）。その上で、ＣＰＵ１１は、入力Ｉ/Ｆ１
５を介して当該押下した電子番組キー３６の押上が感知されたか否か、所定時間Ｔ２（２秒）の計時が完了したか否かを監視する（ステップＳ１０４、ＳＴ１０４１）。
【００９６】
ＣＰＵ１１は、所定時間Ｔ２（２秒）が経過する前に、入力Ｉ/Ｆ１５を介して上記押
下した電子番組キー３６の押上が感知された場合（ステップＳＴ１０４の「ＹＥＳ」）には、予め定められている所定時間Ｔ１（例えば、１秒）の計時を開始し（ステップＳＴ１０５）、当該電子番組キー３６の再押下を感知したか否か、所定時間Ｔ１（１秒）の計時が完了したか否かを監視する（ステップＳＴ１０６、ＳＴ１０６１）。
【００９７】
そして、ＣＰＵ１１は、トランスポートデコーダ部６から取得してＲＡＭ１４内に貯えられている、受信した放送チャンネルのデジタル衛星放送信号や地上波デジタル放送信号に含まれている番組配列情報（SI：Service Information）を基に電子番組表を生成し、
ＯＳＤ表示部８に当該生成した電子番組表の表示指示を行い、ビデオエンコーダ部９で映像信号に重畳して、テレビジョン受像機に表示出力する。
【００９８】
まず、ＣＰＵ１１が、所定時間Ｔ１（１秒）が経過する前に、ユーザによる電子番組キー３６の複数回操作を感知した場合には（ステップＳ１０６における「ＹＥＳ」の場合）、ＣＰＵ１１は、システムソフト１３上によって予め規定されたネットワーク切替え順（例えば、ＢＳ放送−ＣＳ１放送−ＣＳ２放送−地上波デジタル放送−ＢＳ放送・・）に従って、サイクリックに次の番組表表示ネットワークを設定する。
【００９９】
この場合、ＣＰＵ１１は、番組表表示ネットワークとして、現在のＢＳ放送から次の切替え順のＣＳ１放送を設定する。そして、ＣＰＵ１１は、システムソフト１３によって、ＲＡＭ１４内に貯えられている番組配列情報を基に、ＣＳ１放送におけるテレビ放送の電子番組表を生成し、ＯＳＤ表示部８に表示指示を行い、映像信号と重畳しテレビジョン受像機に対し、表示を行う（ステップＳＴ１０７）。これにより、テレビジョン受像機では、“Ａ放送  ＢＳ１”の映像に対してＣＳ１放送におけるテレビ放送の電子番組表のＯＳＤ表示が重畳された映像が表示されることになる。
【０１００】
ステップＳＴ１０６にて前回の電子番組キー３６の押上（ステップＳＴ１０４の「ＹＥＳ」）から、所定時間Ｔ１が経過した場合は（ステップＳＴ１０６１の「ＹＥＳ」）、電子番組表を表示したまま処理を終了する。
【０１０１】
一方、一回目の電子番組キー３６の押下（ステップＳＴ１０１）の後、ＣＰＵ１１が所定時間Ｔ２（２秒）が経過しても、ユーザが電子番組キー３６を押下し続けているのを感知した場合には（ステップＳ１０４１における「ＹＥＳ」の場合）、ＣＰＵ１１は、次の受信メディアを設定する。
【０１０２】
この場合、ＣＰＵ１１は、番組表表示メディアとして、現在のテレビ放送から次の切替え順のラジオ放送を設定する。そして、ＣＰＵ１１は、システムソフト１３によって、Ｒ
ＡＭ１４内に貯えられている番組配列情報を基に、ＢＳ放送におけるラジオ放送の電子番組表を生成し、ＯＳＤ表示部８に表示指示を行い、テレビジョン受像機に対し、この電子番組表の表示を行う（ステップＳ１０４２）。これにより、テレビジョン受像機では、"
Ａ放送  ＢＳ１”の映像に対してＢＳ放送におけるラジオ放送の電子番組表のＯＳＤ表示が重畳された映像が表示されることになる。
【０１０３】
また一方で、一回目の電子番組キー３６の押下（ステップＳＴ１０１）の後、ＣＰＵ１１は所定時間Ｔ３（３秒）が経過してもユーザが電子番組キー３６を押下し続けているか否か、及び入力Ｉ/Ｆ１５を介して押下を感知した電子番組キー３６の押上が感知された
か否かを監視しており（ステップＳＴ１０４４）、ＣＰＵ１１は、所定時間Ｔ３（３秒）が経過してもユーザが電子番組キー３６を押下し続けていることを感知した場合（ステップＳＴ１０４４の「ＹＥＳ」）には、ユーザが電子番組表の表示が必要なくなり、電子番組表の表示を終了させたいことを望んでいるものと判断して、ＯＳＤ表示部８に表示終了指示を行ったうえで、ＲＡＭ１４に設けられた電子番組表表示モード記憶エリアに設定されている電子番組表表示モードを設定解除する（ステップＳ１０４５）。これにより、テレビジョン受像機は、ＯＳＤ表示が消失し、通常の映像表示に戻る一方、次回ユーザが電子番組キー３６を操作した場合には、そのときの受信ネットワーク及び受信メディアの電子番組表が、従来のテレビジョン受信機において電子番組キーを操作した場合と同様に、第１番目に表示されるように準備されることになる。
【０１０４】
これに対し、前述のステップＳＴ１０４４で、所定時間Ｔ３（３秒）が経過する以前に入力Ｉ/Ｆ１５を介して押下を感知した電子番組キー３６の押上が感知された場合（ステ
ップＳＴ１０４６の「ＹＥＳ」）は、メディアＣＰＵ１１は、ユーザによる電子番組キー３６の操作に基づく電子番組表のさらなる表示切替えに備えて今回の操作処理を終了する。したがって、ユーザは再び電子番組キー３６を操作すれば、その操作態様に応じて、前述したステップＳ１０１からの操作処理を繰り返して実行することになる。
【０１０５】
なお、この場合は、電子番組表表示モード記憶エリアに設定されている電子番組表表示モードは設定解除されないので、番組表表示記憶エリアの番組表表示ネットワーク及び番組表表示メディアの記憶内容はそのまま記憶保持される。
【０１０６】
以上のように、本実施の形態のデジタルテレビジョン受信機１によれば、ユーザは、電子番組キー３６を予め定められた所定の操作態様で操作することにより、ネットワーク選択キー３４やメディア選択キー３５を別途操作せずとも、受信メディア及び受信ネットワークとは異なるメディア及びネットワークの電子番組表の表示を行うことができる。
なお、ＳＴ１０４２からＳＴ１０４４への移行の代わりに、ＳＴ１０４２の後、Ｔ２の計時をリセット（ＳＴ１０４３）したうえで、ＳＴ１０３に戻るような制御としてもよい（図１０の破線矢印）。このようにすれば、電子番組キー３６の長押しを続けることでシステムソフト１３上によって予め規定されたメディア切替え順（例えばテレビ放送−ラジオ放送−データ放送−テレビ放送−・・）に従って、サイクリックに次の受信メディアの電子番組表を表示することができる（ただしこの場合、ステップＳＴ１０４４〜１０４６は無視される）。このとき、２回目以降のＴ２の計時時間を１回目のＴ２の計時よりも短く（例えば０．５秒）設定すると、メディアの切替わりがスムーズになる。
【０１０７】
また、ＳＴ１０７、ＳＴ１０４２での電子番組表の表示は、現在視聴中の番組（今回の例では“Ａ放送  ＢＳ１”）に重畳させる形で表示させるようにしているが、電子番組表の切替えと同時にメディア又はネットワークの切替えによって受信チャンネルも切替えるようにしてもよい。
【０１０８】
また、ステップＳＴ１０７とステップＳＴ１０４２が逆であってもよい。
【０１０９】
図１１は、本実施の形態のデジタルテレビジョン受信機において、電子番組キーの所定操作により、ネットワークの一例としてのＢＳ放送の場合を例に、テレビ放送、ラジオ放送、データ放送といったメディア別に電子番組表がサイクリックに表示切替される様子を表した図である。
【０１１０】
電子番組表の上記「第１の操作態様」及び「第２の操作態様」は、上記のような「１秒以内の押下」及び「２秒以上長押し」に限定されるものではなく、実施の形態１と同様、種々の変形が可能である。例えば、同一の直接選局キー３３を所定時間間隔の範囲内で押下操作を繰り返す毎にメディア又はネットワークの一方が切替え、同一の直接選局キー３３を押下操作し続けることによりメディア又はネットワークの他方が所定時間間隔で切替え、いずれもその押下操作を中止した段階で、切替えられたメディア又はネットワークが設定されるように構成してもよい。同様に、電子番組キー３６も、最初の押下操作によって、ネットワーク毎のメディア別の電子番組表の所定時間間隔の切替表示が開始され、所望の電子番組表が表示されているときの２度目の操作によってそのときの電子番組表を固定でき、３度目の操作によって電子番組表の表示を終了させるように構成してもよい。このように、直接選局キー３３及び電子番組キー３６の所定の操作態様には、同一キーの種々の特殊操作を適用することができる。
【０１１１】
また、電子番組表の表示は、ＳＴ１０２、ＳＴ１０４２、ＳＴ１０７においてその都度表示させなくとも、例えば、処理終了直前に表示させるようにしてもよい。
【０１１２】
以上の通り、本発明によればネットワーク選択キー３４及びメディア選択キー３５によらなくても、ネットワーク、メディア間のチャンネルの選局や電子番組表表示を容易に行うことができる。特に、リモコン３０を喪失した場合等は市販の汎用リモコンを購入して使用することが考えられるが、安価な汎用リモコンにはネットワーク選択キー３４、メディア選択キー３５を備えていないものもある。本発明によれば、このような汎用リモコンであっても、容易にネットワーク及びメディアを切替えることが可能である。
【０１１３】
また、デジタル放送受信機に選局の指示をする指示手段としてリモコンを例に説明したが、これがデジタル放送受信機本体に搭載されていてもよく、特にデジタルチューナを搭載したモバイルパソコン等では本体に設ける数字キーが削減でき、上述した選局方法を用いることは有効である。
【０１１４】
また、各種キーは、タッチパネル等であってもよい。
【図面の簡単な説明】
【０１１５】
【図１】本発明の一実施の形態に係るデジタルテレビジョン受信機の構成図である。
【図２】本発明の一実施の形態に係るデジタルテレビジョン受信機のリモコンの外観図である。
【図３】直接選局キーそれぞれと、テレビ放送、ラジオ放送、データ放送等のメディア別の放送チャンネルとの対応関係を表した図である。
【図４】直接選局キーそれぞれと、地上波デジタル放送、ＢＳ放送、又はＣＳ放送といったネットワーク別の放送チャンネルとの対応関係を表した図である。
【図５】第１の実施の形態のデジタルテレビジョン受信機における直接選局キーの操作処理を示したフローチャートである。
【図６】チャンネル選局をした際のＯＳＤ表示の例である。
【図７】ネットワークを切替えたチャンネル選局をした際のＯＳＤの例である。
【図８】ネットワークを切替えたチャンネル選局をした際のＯＳＤの他の例である。
【図９】ネットワークを切替えたチャンネル選局をした際のＯＳＤの他の例である。
【図１０】第３の実施の形態のデジタルテレビジョン受信機における電子番組キーの操作処理を示したフローチャートである。
【図１１】本実施の形態のデジタルテレビジョン受信機において、電子番組キーの所定操作により、電子番組表がサイクリックに表示切替えされる様子を表した図である。
【図１２】特許文献１に記載のラジオ受信機を示すブロック図である。
【図１３】特許文献２に記載のリモコン装置とその切替わりを示す図である。
【符号の説明】
【０１１６】
１  デジタルテレビジョン受信機
２ａ  ＢＳ/ＣＳ系アンテナ、２ｂ  地上波デジタル系アンテナ
３ａ  ＢＳ/ＣＳ系チューナ部、３ｂ  地上波デジタル系チューナ部
４ａ  ＢＳ/ＣＳ系復調回路部、４ｂ  地上波デジタル系復調回路部
５ａ  ＢＳ/ＣＳ系誤訂正部、５ｂ  地上波デジタル系誤訂正部
６  トランスポートデコーダ部
７  ＭＰＥＧデコーダ部
８  ＯＳＤ表示部
９  ビデオエンコーダ部
１０  音声ＤＡＣ部
１１  ＣＰＵ
１２  フラッシュメモリ
１３  システムソフト
１４  ＲＡＭ
１５  入力Ｉ/Ｆ
１６  ポート
１７  モデム
１８  フロントエンド部、１８ａ  ＢＳ/ＣＳ系フロントエンド部、１８ｂ  地上波デ
ジタル系のフロントエンド部、
１９  トランスポート部
２０  ＭＰＥＧデコード部
３０  リモコン
３１  操作キー
３２  電源キー
３３  直接選局キー
３４  ネットワーク選択キー
３５  メディア選択キー
３６  電子番組キー
【図１】
2008092591.tif 000003
【図２】
2008092591.tif 000004
【図３】
2008092591.tif 000005
【図４】
2008092591.tif 000006
【図５】
2008092591.tif 000007
【図６】
2008092591.tif 000008
【図７】
2008092591.tif 000009
【図８】
2008092591.tif 000010
【図９】
2008092591.tif 000011
【図１０】
2008092591.tif 000012
【図１１】
2008092591.tif 000013
【図１２】
2008092591.tif 000014
【図１３】
2008092591.tif 000015